(57)【要約】【課題】空錠レバーハンドル及び片側からのみ施錠できるレバーハンドルに二つのバックルを有したストラップを付け、ドアの表裏両方からロック及びロックの解除を可能にした装置を提供する。【解決手段】ストラップ１（１）の両端に設けられたストラップ２ｂ（３）を表裏のレバーハンドル横柄部（Ｌ１）にそれぞれ掛る。ラダープラグ（７）でストラップ１（１）の長さを調整し、ドア上部（Ｄ１）を支点としてレバーハンドル用ロックストラップ全体を張り、レバーハンドル横柄部（Ｌ１）の下降動作が出来ないようにする。従って、ストラップ２ａ（２）を有する表裏二つのバックル（４）のどちらか一方を離脱しない限りドアを開ける事が出来なくなる。【選択図】    図１
2004278267.tif 000002
【特許請求の範囲】
【請求項１】
ストラップ１（１）の両端に、ストラップ２ａ（２）を有するバックル（４）とストラップ２ｂ（３）を設けたドアの表裏両方からロック及びロックの解除ができるレバーハンドル用ロックストラップ。
【発明の詳細な説明】
【０００１】
【発明の属する技術分野】
この発明は、空錠レバーハンドル及び片側からのみ施錠できるレバーハンドルに二つのバックルを有したストラップを設置し、ドアの表裏両方からロック及びロックの解除を可能にした装置に関するものである。
【０００２】
【従来の技術】
近日、家庭内で開閉の容易さ、ファッション性の高さ等からレバーハンドル式のドアが急速に普及している。しかし、開閉の容易さの反面、レバーハンドルにちょうど手の届く位に成長してはいるがまだ危険を察知出来ない小さな子供、犬猫等のペットが保護者また飼い主の意志で閉められたドアのレバーハンドルを下降させ、自ら簡単にドアを開けて、制限されたはずの行動範囲を越えてしまう事が多々ある。この事により彼らを管理する側の者がより手間と時間を取られるようになってしまっている。
上記の理由から管理者はレバーハンドル式のドアを彼らが開けられないようロックしようとするが、そこで問題が生する。
空錠のレバーハンドルを表裏両方から施錠できる錠付きの物と交換しようとした場合、レバーハンドル全体を交換しなくてはならず非常にコストと時間がかかる。また片側からのみ施錠できる物と交換した場合、同様にコストと時間がかかる上に施錠した側の者しかドアを開けることが出来ない。たとえばリビングルーム側からのみ施錠できるドアの場合は廊下側から来た者は部屋に入る事が出来ないし、もちろん廊下側からの施錠も出来ないので、非常に不便である。
低価格で空錠のレバーハンドル式のドアを片側からロックするものもあるにはある。たとえばドアと床の隙間にはめ込み使用するドアストッパー。壁とドアの両方に金具を取り付け、二つの金具を結合させドアをロックする構造の掛け金やあおり止め。前者は小さな子供、犬猫等のペットでも簡単に取り外す事が出来る。後者は壁やドアに金具を固定するために工具が必要となるし、壁とドアの両方にダメージを与えてしまう。そして、両者の抱える最大の欠点は片側からしかロック及びロックの解除が出来ない事である。
【０００３】
【発明が解決しようとする課題】
本発明は、その欠点を解決する表裏両方からドアのロック及びロックの解除を可能にした装置を開発しようとするものである。
【０００４】
【課題を解決するための手段】
いまその解決手段を図面に追いながら説明すれば、
（イ）ラダープラグ（７）によって長さ調整可能なストラップ１（１）の両端に雄プラグ（５）と雌ソケット（６）から成るバックル（４）を設ける。ストラップ１（１）はドア上部（Ｄ１）とドア枠（Ｃ）との隙間に入る事の出来る薄さである。
（ロ）雄プラグ（５）と雌ソケット（６）を結ぶストラップ２ａ（２）を設ける。ストラップ２ａ（２）は最低でもドアを開けるのに必要なレバーハンドル横柄部（Ｌ１）の下降距離以上の長さを有するものとする。
（ハ）雌ソケット（６）から輪を造るようにストラップ２ａ（２）と連続して形成されたストラップ２ｂ（３）を設ける。
（ニ）ストラップ２ｂ（３）の内側、つまりレバーハンドル縦柄部（Ｌ）及びレバーハンドル横柄部（Ｌ１）と接触する部分にゴム等の滑り止め効果のある素材で加工を施す。
本発明は以上の構成からなるレバーハンドル用ロックストラップである。
【０００５】
【発明の実施の形態】
以下、本発明の実施の形態について説明する。
（イ）  ドア（Ｄ）を開けた状態で、ストラップ１（１）の中心付近をドア上部（Ｄ１）に掛ける、
（ロ）  両端に設けられたストラップ２ｂ（３）の輪を表裏のレバーハンドル横柄部（Ｌ１）にそれぞれ掛ける。この時、ストラップ２ａ（２）がドア側に来るように設置する。また、両端に設けられたストラップ２ｂ（３）の輪の一方をレバーハンドル横柄部（Ｌ１）に掛け、もう一方をレバーハンドル縦柄部（Ｌ）に掛け設置することも出来る。
（ハ）  ストラップ２ｂ（３）がレバーハンドル横柄部（Ｌ１）に密着すようにストラップ２ａ（２）の長さを調整する。この時、バックル（４）はレバーハンドル横柄部（Ｌ１）の真上に設置された状態になる。この事より片手でロックを解除し、そのままレバーハンドル横柄部（Ｌ１）を下降させるという、一連の動作でドアを開ける事が出来る。
（ニ）  表裏二つのバックル（４）がそれぞれ係合している事を確認し、レバーハンドル用ロックストラップ全体が張られるようにラダープラグ（７）によりストラップ１（１）の長さを調整する。
（ホ）  （イ）〜（ニ）が完了した時点でドアを閉める。ドア上部（Ｄ１）を支点として表裏のレバーハンドル横柄部（Ｌ１）に掛けられたレバーハンドル用ロックストラップ全体が張られた事により、レバーハンドル横柄部（Ｌ１）の下降動作が出来なくなり、ドア（Ｄ）がロックされた状態になる。
（ヘ）  （ホ）の状態にロックされたドアを開けるには，レバーハンドル横柄部（Ｌ１）の真上にある表裏二つのバックル（４）のどちらか一方を離脱し、レバーハンドル横柄部（Ｌ１）の下降動作が出来るようにする。ドアのロックが不必要な時に、バックル（４）のどちらか一方を離脱した状態でドアに掛け放置していても、ストラップ２ａ（２）が設けられている事により雄プラグ（５）と雌ソケット（６）の距離が一定に保たれる。この事によりストラップ１（１）がドア上部（Ｄ１）で左右にスライドし落下する事を防ぎ、また雌ソケット（６）がストラップ２ｂ（３）と共にレバーハンドル横柄部（Ｌ１）を軸として縦に回転し落下することも防ぐ。
（ト）  再びロックする際はバックル（４）の雄プラグ（５）と雌ソケット（６）を係合し、ドアを閉める。
【０００６】
【発明の効果】
従って、レバーハンドル用ロックストラップが設置されロック状態にあるレバーハンドル式のドアを開けるにはバックル（４）を離脱しなければならず、小さな子供、犬猫等のペットはそのロックを解除する事が出来ない。そのため、保護者また飼い主が彼らの行動範囲を容易に制限する事ができ、管理に要する時間や手間の軽減に多いに役立つ。また、ドアの表裏両方からロック及びロックの解除が可能なため、第三者の部屋の行き来になんら支障も与えない。
設置取り付けは工具も使わず極めて簡単に出来るため着脱が容易であり、ストラップを主とし非常に安価な素材で構成されているため低いコストで生産が可能である。
実際、我が家も含め小さい子供のいる家庭で試しに使用してみた所、非常に評判が良く、また猫をペットとしている家庭でも試した所、同じ効果が得られ大変重宝がられた。
【図面の簡単な説明】
【図１】本発明の使用側面図
【図２】本発明の使用斜視図
【図３】本発明の部分使用斜視図
【図４】本発明の部分使用斜視図
【符号の説明】
１    ストラップ１
２    ストラップ２ａ
３    ストラップ２ｂ
４    バックル
５    バックルの雄プラグ
６    バックルの雌ソケット
７    ストラップ１の長さ調整用ラダープラグ
Ｄ    ドア
Ｄ１  ドア上部
Ｃ    ドア枠
Ｌ    レバーハンドル縦柄部
Ｌ１  レバーハンドル横柄部
Ｈ    手
【図１】
2004278267.tif 000003
【図２】
2004278267.tif 000004
【図３】
2004278267.tif 000005
【図４】
2004278267.tif 000006